(57)【要約】      （修正有）【課題】搬送時における上下方向に段積みした被梱包物に傷が発生し難い梱包材を提供する。【解決手段】被梱包物Ｐを収納した状態で上下方向に段積みされる梱包材である。梱包材の上部には、上段に配置される梱包材の底部に形成された嵌合凹部１４に嵌合する嵌合凸部１５が形成されている。嵌合凸部１５が嵌合凹部１４に嵌合した状態で、嵌合凸部１５の基端１５ａ側の側壁１５ｃが、嵌合凹部１４の側壁１４ａに嵌合し、さらに、嵌合凸部１５の先端１５ｂ側の側壁１５ｄの壁面１５ｆと嵌合凹部１４の側壁１４ａの壁面１４ｃとの間には空間Ｓが形成されている。【選択図】図４
0003184008.tif 000002
【実用新案登録請求の範囲】
【請求項１】
被梱包物を収納した状態で上下方向に段積みされる梱包材であり、
前記梱包材の上部には嵌合凸部が形成され、前記梱包材の底部には嵌合凸部に嵌合する嵌合凹部が形成されており、
上下方向に前記梱包材を段積みして、前記嵌合凸部が前記嵌合凹部に嵌合した状態で、
前記嵌合凸部の基端側の側壁が、前記嵌合凹部の側壁に嵌合し、
前記嵌合凸部の先端側の側壁の壁面と前記嵌合凹部の側壁の壁面との間には空間が形成されていることを特徴とする梱包材。
【請求項２】
前記嵌合凸部は、段付き部を有しており、該段付き部よりも基端側の側壁が、前記嵌合凹部の側壁に嵌合することを特徴とする請求項１に記載の梱包材。
【請求項３】
前記梱包材は、前記被梱包物の両端部を支持する一対の端部支持部材からなり、
該各端部支持部材には、前記嵌合凸部が形成されていることを特徴とする請求項１または２に記載の梱包材。
【請求項４】
前記梱包材は、前記一対の端部支持部材の間において、前記被梱包物の中央部を支持する中央支持部材をさらに備えることを特徴とする請求項３に記載の梱包材。
【請求項５】
前記被梱包物の中央部には切り欠き部が形成されており、前記中央支持部材には、前記切り欠き部に当接する突出部が形成されていることを特徴とする請求項４に記載の梱包材。
【考案の詳細な説明】
【技術分野】
【０００１】
本考案は、被梱包物を上下方向に段積みするに好適な梱包材に関する。
【背景技術】
【０００２】
従来から、被梱包物は、梱包材で梱包されて、梱包体として搬送されることが一般的である。複数の被梱包物を一度に梱包体として搬送する際には、各被梱包物は、梱包体を構成する梱包材により梱包され、これらは上下方向に段積みされることが多い。
【０００３】
たとえば、このような技術として、機械部品などの被梱包物を梱包する梱包材であって、梱包材の上部に嵌合凸部が形成され、その底部には、上下方向に段積みした際に下段の梱包材の前記嵌合凸部に嵌合する嵌合凹部を設けた梱包材が提案されている（たとえば、特許文献１参照）。
【０００４】
この技術によれば、梱包材を上下方向に段積みした際に、上段の梱包材の底部に形成された嵌合凹部と、その下段の上部に形成された嵌合凸部とが嵌合する。このため、上下方向に段積みした際であっても、被梱包物を梱包した梱包材は荷崩れし難くなる。
【先行技術文献】
【特許文献】
【０００５】
【特許文献１】実用新案登録第３１８１２２２号公報
【考案の概要】
【考案が解決しようとする課題】
【０００６】
しかしながら、特許文献１の如き梱包材を用いて被梱包物を梱包した際には、被梱包物の一部が露出することがあり、この露出した部分が、上方から障害物などと接触することがあった。この結果、障害物などに接触した被梱包物の露出した部分に傷等が発生することがあった。
【０００７】
本考案は、このような点を鑑みてなされたものであり、その目的とするところは、搬送時における上下方向に段積みした被梱包物に傷が発生し難い梱包材を提供することにある。
【課題を解決するための手段】
【０００８】
考案者らは、鋭意検討を重ねた結果、梱包材の上部に形成された嵌合凸部を、梱包材の上部からより長く突出させることにより、この嵌合凸部の一部を、外部からの接触を保護する保護部として作用させることができると考えた。この場合、単に嵌合凸部を上部から従来に比べてより長く突出させてしまうと、嵌合凸部と嵌合凹部の接触面積（嵌合部分）が大きくなるため、梱包材を開梱時に、上段に位置する梱包材と下段に位置する梱包材とが外れ難くなると考えた。
【０００９】
本考案に係る梱包材は、考案者らの新たな考えに基づくものであり、本考案に係る梱包材は、被梱包物を収納した状態で上下方向に段積みされる梱包材であり、前記梱包材の上部には嵌合凸部が形成され、前記梱包材の底部には嵌合凸部に嵌合する嵌合凹部が形成されており、上下方向に前記梱包材を段積みして、前記嵌合凸部が前記嵌合凹部に嵌合した状態で、前記嵌合凸部の基端側の側壁が、前記嵌合凹部の側壁に嵌合し、前記嵌合凸部の先端側の側壁の壁面と前記嵌合凹部の側壁の壁面との間には空間が形成されていることを特徴とするものである。
【００１０】
本考案によれば、梱包材の上部に嵌合凸部が形成され、梱包材の下部に嵌合凹部が形成され、段積み時には、上段の梱包材の底部に形成された嵌合凹部が、その下段の梱包材の上部に形成された嵌合凸部と嵌合する。このような結果、上下方向に隣接して段積みされた梱包材同士は嵌合されるので、これらは安定的に段積みすることができ、荷崩れ等が生じにくい。
【００１１】
ここで、本考案では、前記嵌合凸部が前記嵌合凹部に嵌合した状態で、嵌合凸部の基端側の側壁が、嵌合凹部の側壁に嵌合し、嵌合凸部の先端側の側壁の壁面と嵌合凹部の側壁の壁面との間には空間が形成されている。これにより、嵌合凸部のうち、基端側の側壁のみが前記嵌合凹部の側壁に嵌合するので、開梱時に上下方向に段積みされた梱包材同士を分離し易くなる。さらに、嵌合凸部の先端側の部分は、従来の嵌合凸部よりもより長く突出した形状とすることができるので、梱包状態の最上段の被梱包物が露出した露出部分を、上方からの障害部などから保護する保護部（防護部）として機能する。この結果、梱包材を用いて上下方向に段積みした被梱包物に傷が発生し難くなる。
【００１２】
ここで、このような嵌合凸部は、前記嵌合凹部に嵌合した状態で、嵌合凸部の基端側の側壁が、嵌合凹部の側壁に嵌合し、嵌合凸部の先端側の側壁の壁面と嵌合凹部の側壁の壁面との間に空間が形成されていれば、特にその形状は限定されるものではない。従って、嵌合凸部の形状は角柱状、円柱状であってもよく、この場合には、嵌合凹部の側壁の壁面が嵌合凸部の先端側の側壁の壁面と非接触となるように（空間が形成されるように）逃がし部を設けてもよい。
【００１３】
しかしながら、より好ましい態様としては、前記嵌合凸部は段付き部を有しており、該段付き部よりも基端側の側壁が、前記嵌合凹部の側壁に嵌合する。この態様によれば、嵌合凹部の側壁部の形状を、上下方向に沿って段差の無い形状にすることができるので、容易に嵌合凹部を成形することができる。
【００１４】
さらに好ましい態様としては、前記梱包材は、前記被梱包物の両端部を支持する一対の端部支持部材からなり、該各端部支持部材には、前記嵌合凸部が形成されている。この態様によれば、一対の端部支持部材で、被梱包物の両端部を支持するので、被梱包物の中央部は露出することになるが、たとえこのような露出部分（中央部）があったとしても、各端部支持部材には、嵌合凸部が形成されているので、上方からの障害物などから保護することができる。
【００１５】
さらに好ましい態様としては、前記梱包材は、前記一対の端部支持部材の間において、前記被梱包物の中央部を支持する中央支持部材をさらに備える。この態様によれば、中央支持部材は、上述した、一対の端部支持部材で被梱包物の両端部を支持する際に露出する被梱包物の露出部分（中央部）を覆うことができる。さらに、被梱包物を端部支持部材で支持したときに、被梱包物の中央部が撓まないように中央支持部材でこれを支持することができる。
【００１６】
さらに好ましい態様としては、前記被梱包物の中央部には切り欠き部が形成されており、前記中央支持部材には、前記切り欠き部に当接する突出部が形成されている。この態様によれば、被梱包物の中央部に切り欠き部が形成された場合、一対の端部支持部材で被梱包物の両端部を支持した状態で、被梱包物の中央部が撓み易いところ、突出部が中央支持部材の梱包時の位置決め部（位置合わせ部）として作用し、被梱包物の中央部を中央支持部材で好適に支持することができる。
【考案の効果】
【００１７】
本考案に係る梱包材によれば、搬送時における上下方向に段積みした被梱包物に傷が発生することを抑えることができる。
【図面の簡単な説明】
【００１８】
【図１】本考案の第１実施形態に係る梱包材により梱包された梱包体の模式的分解斜視図である。
【図２】図１に示す梱包材の収納凹部に被梱包物を収納した状態を示した図。
【図３】図１に示す梱包材を段積みした状態を説明するための模式的斜視図。
【図４】（ａ）は図３のＡ−Ａ線矢視断面図、（ｂ）は図３のＢ−Ｂ線矢視断面図、（ｃ）は図３のＣ−Ｃ線矢視断面図。
【図５】本考案の第２実施形態に係る梱包材により梱包された梱包体の模式的分解斜視図である。
【図６】図５に示す梱包材の収納凹部に被梱包物を収納した状態を示した図。
【図７】図６に示す梱包材を段積みした状態を説明するための模式的斜視図。
【図８】（ａ）は図７のＤ−Ｄ線矢視断面図、（ｂ）は図７のＥ−Ｅ線矢視断面図、（ｃ）は図７のＦ−Ｆ線矢視断面図。
【図９】本考案の第３実施形態に係る梱包材により梱包された梱包体の模式的分解斜視図である。
【図１０】図９に示す梱包材の収納凹部に被梱包物を収納した状態を示した図。
【考案を実施するための形態】
【００１９】
以下に、図面に基づき、本考案に係る梱包材の３つの実施形態を説明する。
【００２０】
〔第１実施形態〕
図１は、本考案の第１実施形態に係る梱包材により梱包された梱包体の模式的分解斜視図である。図２は、図１に示す梱包材の収納凹部に被梱包物を収納した状態を示した図である。
【００２１】
図３は、図１に示す梱包材を段積みした状態を説明するための模式的斜視図であり、図４は、（ａ）は図３のＡ−Ａ線矢視断面図、（ｂ）は図３のＢ−Ｂ線矢視断面図、（ｃ）は図３のＣ−Ｃ線矢視断面図である。
【００２２】
図１および図２に示すように、第１実施形態に係る梱包材１は、図１に示すような機械部品などの被梱包物Ｐの両端部を収容支持し、これを梱包するための梱包材である。被梱包物Ｐは、長尺状の被梱包物であり、板状の本体部ｐ１の両端部に矩形状の凸部ｐ２，ｐ２が形成されている。本実施形態では、被梱包物Ｐとして長尺状の被梱包物を図示したが、以下に示す機能を有した梱包材により梱包することができるのであれば、特にその形状、大きさなどは限定されるものではない。
【００２３】
ここで、梱包材１は、任意発泡成形体で作ることができるが、熱可塑性樹脂の発泡成形体であることが好ましい。熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート系樹脂、ポリブチレンテレフタレート系樹脂、またはポリエチレンナフタレート系樹脂）、ポリカーボネート系樹脂、またはポリ乳酸系樹脂などを挙げることができる。なかでも、ポリスチレンとポリエチレンを含む複合樹脂を用いることが好ましい。
【００２４】
ポリスチレン樹脂（ＥＰＳ樹脂）の場合には、発泡倍率が３０〜５０倍である好ましく、スチレンとポリエチレンとを含む複合樹脂、ポリオレフィン樹脂（ＰＯ樹脂）の場合には、発泡倍率が２０〜５０倍であることが好ましい。
【００２５】
このような材料で成形された梱包材１は、被梱包物Ｐの両端部を下方から受ける一対の端部支持部材１０Ｌ，１０Ｒを備えている。各端部支持部材１０Ｌ，１０Ｒの上部１３には、被梱包物Ｐの両端部（具体的には板状の本体部ｐ１の両端部）を収納する収納凹部１１が２つずつ形成されている。また、端部支持部材１０Ｌ，１０Ｒの底部１８には、各端部支持部材１０Ｌ，１０Ｒを上下方向に段積み時に、下段の端部支持部材１０Ｌ，１０Ｒの収納凹部１１に収納された被梱包物Ｐの凸部ｐ２を収納する下部収納凹部１２が２つずつ形成されている。
【００２６】
さらに、各端部支持部材１０Ｌ，１０Ｒのそれぞれの上部１３の両側には、上段に配置される端部支持部材１０Ｌ，１０Ｒの底部１８に形成された嵌合凹部１４に嵌合する嵌合凸部１５が形成されている。
【００２７】
ここで、各嵌合凸部１５は、段付き部１７を有した、上段と下段からなる二段の構成を有している。嵌合凸部１５が嵌合凹部１４に嵌合した状態では、嵌合凸部１５の基端１５ａ側（下段側）の側壁１５ｃが、嵌合凹部１４の側壁１４ａに嵌合される。さらに、嵌合凸部１５の先端１５ｂ側（上段側）の側壁１５ｄの壁面１５ｆと嵌合凹部１４の側壁１４ａの壁面１４ｃとの間には空間Ｓが形成されている。すなわち、本実施形態では、段付き部１７よりも基端１５ａ側の側壁１５ｃが、嵌合凹部１４の側壁１４ａに嵌合するように構成され、段付き部１７より先端１５ｂ側では、嵌合凸部１５は嵌合してない。
【００２８】
このような梱包材１を用いて、被梱包物Ｐを梱包する。まず、図２に示すように、一対の端部支持部材１０Ｌ，１０Ｒの収納凹部１１が対向するように配置し、収納凹部１１に、被梱包物Ｐの板状の本体部ｐ１の両端部を収納する。この状態で、図２から図３の状態にすべく、下段の端部支持部材１０Ｌ，１０Ｒに収納された被梱包物Ｐの凸部ｐ２が、上段となる端部支持部材１０Ｌ，１０Ｒの下部収納凹部１２に収納されるように、上方から端部支持部材１０Ｌ，１０Ｒを配置する。このとき、上段の端部支持部材１０Ｌ，１０Ｒの下部収納凹部１２の底面で、凸部ｐ２の上面が押さえられる。
【００２９】
この際に、端部支持部材１０Ｌ，１０Ｒの上部１３に嵌合凸部１５が形成され、その対応する位置の端部支持部材１０Ｌ，１０Ｒの底部１８に嵌合凹部１４が形成されているので、段積み時には、上段の端部支持部材１０Ｌ，１０Ｒの底部１８に形成された嵌合凹部１４が、その下段の端部支持部材１０Ｌ，１０Ｒの上部１３に形成された嵌合凸部１５と嵌合する。このような結果、上下方向に隣接して段積みされた端部支持部材１０Ｌ，１０Ｒ、すなわち梱包材１，１同士は嵌合されるので、これらは安定的に段積みすることができ、荷崩れ等が生じにくい。
【００３０】
さらに、嵌合凸部１５が嵌合凹部１４に嵌合した状態では、嵌合凸部１５の基端１５ａ側の側壁１５ｃが、嵌合凹部１４の側壁１４ａに嵌合され、嵌合凸部１５の先端１５ｂ側の側壁１５ｄの壁面１５ｆと嵌合凹部１４の側壁１４ａの壁面１４ｃとの間には空間Ｓが形成されているので、嵌合凸部１５のうち、基端１５ａ側の側壁１５ｃのみが嵌合凹部１４の側壁１４ａに嵌合する。従って、嵌合凸部１５の上下方向に形成された側壁全体で嵌合凹部１４と嵌合する場合に比べて、嵌合凸部１５を拘束する拘束力は弱いため、開梱時に上下方向に段積みされた端部支持部材１０Ｌ，１０Ｒ（梱包材１同士）を分離し易くなる。
【００３１】
さらに、嵌合凸部１５の先端１５ｂ側の部分（上段）は、従来の嵌合凸部よりもより長く突出した形状とすることができるので、段積みした梱包状態の最上段の被梱包物Ｐが露出した露出部分（本実施形態では被梱包物Ｐの中央部）に、上方から（例えば図中の矢印方向から）の障害部などが接近したとしても、この部分（上段）が露出した中央部を保護する保護部（防護部）として機能する。この結果、梱包材１を用いて上下方向に段積みした被梱包物Ｐに傷が発生し難くなる。
【００３２】
嵌合凸部１５は、段付き部１７を有する形状としたので、嵌合凹部１４の側壁１４ａの形状を、上下方向に沿って段差の無い形状にすることができるので、容易に嵌合凹部１４を成形することができる。
【００３３】
〔第２実施形態〕
図５は、本考案の第２実施形態に係る梱包材により梱包された梱包体の模式的分解斜視図である。図６は、図５に示す梱包材の収納凹部に被梱包物を収納した状態を示した図である。図７は、図６に示す梱包材を段積みした状態を説明するための模式的斜視図。図８は、（ａ）は図７のＤ−Ｄ線矢視断面図、（ｂ）は図７のＥ−Ｅ線矢視断面図、（ｃ）は図７のＦ−Ｆ線矢視断面図である。
【００３４】
第２の実施形態の梱包材が、第１実施形態と相違する点は、中央支持部材を新たに設けた点である。したがって、その他同じ機能を有する部材および部分は、同じ符号を付して詳細な説明を省略する。
【００３５】
図５〜７に示すように、本実施形態に係る梱包材１Ａは、被梱包物Ｐの両端部を支持する一対の端部支持部材１０Ｌ，１０Ｒに加え、一対の端部支持部材１０Ｌ，１０Ｒの間において、被梱包物Ｐの中央部を支持する中央支持部材２０をさらに備えている。
【００３６】
中央支持部材２０は、端部支持部材１０Ｌ，１０Ｒと同じく上述した種類の材質からなり、被梱包物Ｐの中央部（具体的には板状の本体部ｐ１の中央部）を収納する２つの収納凹部２１，２１が間隔を空けて形成されている。
【００３７】
中央支持部材２０の上部２３の両端部には、嵌合凸部２５が形成されており、その底部２８には、下段の中央支持部材２０の嵌合凸部２５に嵌合する嵌合凹部２４が形成されている。すなわち、端部支持部材１０Ｌ，１０Ｒと同様に、上下方向に段積み時には、上段の中央支持部材２０の底部２８に形成された嵌合凹部２４が、その下段の中央支持部材２０の上部２３に形成された嵌合凸部２５と嵌合することになる。
【００３８】
さらに、図８（ｃ）に示すように、中央支持部材２０には、嵌合凸部２５が嵌合凹部２４に嵌合した状態で、嵌合凸部２５の基端２５ａ側の側壁２５ｃが、嵌合凹部２４の側壁２４ａに嵌合し、且つ、嵌合凸部２５の先端２５ｂ側の側壁２５ｄの壁面２５ｆと嵌合凹部２４の側壁２４ａの壁面２４ｃとの間には空間Ｓが形成されている。
【００３９】
このような梱包材１Ａを用いて、被梱包物Ｐを梱包する。まず、図５に示すように、一対の端部支持部材１０Ｌ，１０Ｒの収納凹部１１が対向するように配置し、一対の端部支持部材１０Ｌ，１０Ｒの間に中央支持部材２０を配置する。
【００４０】
次に図６に示すように、端部支持部材１０Ｌ，１０Ｒの収納凹部１１に、被梱包物Ｐの板状の本体部ｐ１の両端部を収納するとともに、中央支持部材２０の収納凹部２１に、被梱包物Ｐの板状の本体部ｐ１の中央部を収納する。
【００４１】
この状態で、下段の端部支持部材１０Ｌ，１０Ｒに収納された被梱包物Ｐの凸部ｐ２が、上段となる端部支持部材１０Ｌ，１０Ｒの下部収納凹部１２に収納されるように、上方から（状態の）端部支持部材１０Ｌ，１０Ｒを配置する。さらに、下段の中央支持部材２０の上に中央支持部材２０を配置する。
【００４２】
この際に、上段の端部支持部材１０Ｌ，１０Ｒの底部１８に形成された嵌合凹部１４と、その下段の端部支持部材１０Ｌ，１０Ｒの上部１３に形成された嵌合凸部１５とを嵌合させ、上段の中央支持部材２０の底部２８に形成された嵌合凹部２４と、その下段の中央支持部材２０の上部２３に形成された嵌合凸部２５とを嵌合させる。
【００４３】
このような結果、中央支持部材２０は、上述した、第１実施形態において、一対の端部支持部材１０Ｌ，１０Ｒで被梱包物Ｐの両端部を支持する際に露出する被梱包物Ｐの中央部を覆うことができるため、この部分を保護することができる。
【００４４】
また、被梱包物Ｐを第１実施形態の如く端部支持部材１０Ｌ，１０Ｒのみで支持したとき、被梱包物Ｐの中央部は撓み易いが、本実施形態の如く、中央支持部材２０は、被梱包物の撓み易い中央部を支持するので、被梱包物Ｐを両端部および中央部の３点で支持することができる。
【００４５】
なお、嵌合凸部２５のうち、基端２５ａ側の側壁２５ｃのみが嵌合凹部２４の側壁２４ａに嵌合する。従って、嵌合凸部２５の上下方向に形成された側壁全体で嵌合凹部２４と嵌合する場合にくらべて、嵌合凸部２５を拘束する拘束力は弱いため、図７に示す状態から開梱時に上下方向に段積みされた中央支持部材２０，２０を分離し易くなる。
【００４６】
また、端部支持部材１０Ｌ，１０Ｒと同様に、中央支持部材２０の場合も、嵌合凸部２５の先端２５ｂ側の部分は、従来の嵌合凸部よりもより長く突出した形状となるので、この部分が被梱包物Ｐを保護する保護部（防護部）として作用する。
【００４７】
〔第３実施形態〕
図９は、本考案の第３実施形態に係る梱包材により梱包された梱包体の模式的分解斜視図である。図１０は、図９に示す梱包材の収納凹部に被梱包物を収納した状態を示した図である。
【００４８】
第３の実施形態の梱包材が、第２実施形態と相違する点は、被梱包物の形状と、中央支持部材の形状である。したがって、その他同じ機能を有する部材および部分は、同じ符号を付して詳細な説明を省略する。
【００４９】
図９に示すように、本実施形態に係る梱包材１Ｂにより梱包される被梱包物Ｐの板状の本体部ｐ１の中央部には、切り欠き部ｐｃが形成されている。このような形状のものを図１に示す、端部支持部材１０Ｌ，１０Ｒのみを用いて梱包した場合には、本体部ｐ１の中央部が撓みやすい。
【００５０】
従って、本実施形態では、切り欠き部ｐｃの配置される場所に中央支持部材２０Ｂを配置する。中央支持部材２０Ｂには、切り欠き部ｐｃに当接する突出部２６が形成されている。突出部２６は、両端が支持された被梱包物Ｐの切り欠き部ｐｃを含む部分を中央支持部材２０Ｂで支持するための、位置決め機能として作用する。
【００５１】
このようにして、被梱包物Ｐの中央部に切り欠き部ｐｃが形成された場合、一対の端部支持部材１０Ｌ，１０Ｒで被梱包物の両端部を支持した状態では、被梱包物Ｐは中央部で撓み易いが、突出部２６が中央支持部材２０Ｂの梱包時の位置決めとして作用し、被梱包物の中央部を中央支持部材２０Ｂで好適に支持することができる。
【００５２】
このような結果、被梱包物Ｐを第１実施形態の如く端部支持部材１０Ｌ，１０Ｒのみで支持したとき、被梱包物Ｐの中央部は撓み易いが、本実施形態の如く、中央支持部材２０Ｂは、被梱包物Ｐの撓み易い中央部を支持するので、被梱包物Ｐを両端部および中央部の３点で支持することができる。これにより被梱包物Ｐの撓みを抑えることができる。
【００５３】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【００５４】
例えば、本実施形態は、一対の端部支持部材を設けていたが、これらが部分的に連結した構造であってもよい。第２および第３実施形態では、１つの中央支持部材で中央部を支持していたが、これらが複数あってもよい。第１〜第３の実施形態では、嵌合凸部は二段の段付き形状となっていたが、嵌合凸部の基端側の側壁でのみ、嵌合凹部の壁部と嵌合するのであれば、特に、この形状は限定されるものではなく、三段以上の段付き形状や、先端側の側壁がテーパー状であってもよい。
【符号の説明】
【００５５】
１，１Ａ，１Ｂ：梱包材、１０Ｌ，１０Ｒ：端部支持部材、１１：収納凹部、１２：下部収納凹部、１３：上部、１４：嵌合凹部、１４ａ：嵌合凹部の側壁、１４ｃ：嵌合凹部の壁面、１５：嵌合凸部、１５ａ：嵌合凸部の基端、１５ｂ：嵌合凸部の先端、１５ｃ，１５ｄ：嵌合凸部の側壁、１７：段付き部、１８：底部、２０，２０Ｂ：中央支持部材、２１：収納凹部、２３：上部、２４：嵌合凹部、２４ａ：嵌合凹部の側壁、２４ｃ：嵌合凹部の壁面、２５：嵌合凸部、２５ａ：嵌合凸部の基端、２５ｂ：嵌合凸部の先端、２５ｃ，２５ｄ：嵌合凸部の側壁、２６：突出部、２８：底部、Ｐ：被梱包物、ｐｃ：切り欠き部、ｐ１：本体部、ｐ２：凸部、Ｓ：空間
【図１】
0003184008.tif 000003
【図２】
0003184008.tif 000004
【図３】
0003184008.tif 000005
【図４】
0003184008.tif 000006
【図５】
0003184008.tif 000007
【図６】
0003184008.tif 000008
【図７】
0003184008.tif 000009
【図８】
0003184008.tif 000010
【図９】
0003184008.tif 000011
【図１０】
0003184008.tif 000012